【手続補正書】
【提出日】平成19年1月5日(2007.1.5)
【手続補正１】
【補正対象書類名】明細書
【補正対象項目名】全文
【補正方法】変更
【補正の内容】
【書類名】明細書
【発明の名称】太陽光発電モジュールを備えた傾斜屋根の設置方法
【特許請求の範囲】
【請求項１】  陸屋根を有する既存建物上に太陽光発電モジュールを備えた傾斜屋根を設置する方法であって、
既存建物の陸屋根上に、傾斜屋根を接続固定するためのアンカーを固定し、
前記アンカーの廻りに防水処理を施し、
前記既存建物から離れた場所で、鉄骨に比べて軽量なスチール材で屋根の骨組を組上げ、この骨組材の上に下地材および屋根材を貼り、さらに太陽光発電モジュールを取付けることによって太陽光発電モジュールを備えた傾斜屋根を作り、
前記傾斜屋根の下部に吊上げワイヤーを連結するためのパイプを固定し、
前記パイプに連結されたワイヤーを介してクレーンで前記傾斜屋根を吊上げて前記既存建物の陸屋根上に運び、
前記傾斜屋根を前記陸屋根上の前記アンカーに固定することを特徴とする、傾斜屋根の設置方法。
【発明の詳細な説明】
【技術分野】
【０００１】
この発明は、太陽光発電モジュールを備えた傾斜屋根の設置方法に関するものである。
【背景技術】
【０００２】
従来、建物の上に傾斜屋根を設置する場合、現場の建物上に屋根の骨組みを組立て、組立てた骨組み材上に下地材を貼り、さらに屋根材を貼って傾斜屋根を完成させていた。太陽光発電モジュールの取付けも、現場建物上での屋根組立て時に行なっていた。
【発明の開示】
【発明が解決しようとする課題】
【０００３】
しかしながら、上記のような従来の方法では、現場建物上での傾斜屋根の組立てなので、高所作業が多く、危険性が伴う。また、屋外での作業のため、天候に左右され易く、コスト増となるという問題がある。
【０００４】
本発明の目的は、安全性に優れ、なおかつ効率的に作業を行なうことのできる傾斜屋根の設置方法を提供することである。
【課題を解決するための手段】
【０００５】
本発明は、陸屋根を有する既存建物上に太陽光発電モジュールを備えた傾斜屋根を設置する方法であって、以下の工程を備える。
【０００６】
（ａ）既存建物の陸屋根上に、傾斜屋根を接続固定するためのアンカーを固定すること。
（ｂ）アンカーの廻りに防水処理を施すこと。
（ｃ）既存建物から離れた場所で、鉄骨に比べて軽量なスチール材で屋根の骨組を組上げ、この骨組材の上に下地材および屋根材を貼り、さらに太陽光発電モジュールを取付けることによって太陽光発電モジュールを備えた傾斜屋根を作ること。
（ｄ）傾斜屋根の下部に吊上げワイヤーを連結するためのパイプを固定すること。
（ｅ）パイプに連結されたワイヤーを介してクレーンで傾斜屋根を吊上げて既存建物の陸屋根上に運ぶこと。
（ｆ）傾斜屋根を陸屋根上のアンカーに固定すること。
【０００７】
上記の設置方法によれば、現場での作業時間が短縮され、天候に左右されるということも少なくなる。また、高所での作業も減少するので、安全性が確保される。
【発明を実施するための最良の形態】
【０００８】
本発明は、屋根材一体型太陽光発電システムを取付けるにあたり、地上作業で傾斜屋根（太陽光発電モジュール取り付けを含む）を組立て、この組立てた傾斜屋根をクレーンで吊上げて既存建物の陸屋根上に設置する方法である。
【０００９】
図１〜図４は、陸屋根を持つ既存建物上に傾斜屋根を吊上げて設置する様子を示している。図１は、陸屋根を持つ既存建物を示している。図２は、工場であらかじめ組立てておいた傾斜屋根の半分をクレーンで吊上げて陸屋根上に降ろす様子を示している。図３は、工場であらかじめ組立てておいた傾斜屋根の残りの半分をクレーンで吊上げて陸屋根上に降ろす様子を示している。図４は、既存建物の陸屋根上への傾斜屋根の取り付けが完了した状態を示している。
【００１０】
傾斜屋根を取付ける前に、既存建物の陸屋根上で、傾斜屋根を載せる箇所の実寸とレベル測定を行なっておく。既存建物の陸屋根上で、傾斜屋根を載せる箇所に墨出しをし、傾斜屋根を固定するためのアンカーを固定する。コンクリート製の陸屋根の場合には、梁のある所にアンカーを打ち、折半屋根の場合には、一部折半を取り除き、鉄骨にアンカーを固定する。アンカーの廻りを防水テープ、コーキング等で養生し、防水処理を施しておく。
【００１１】
実寸を元に建築基準法に基づき、強度並びに雨や風に対する対策を考えて図面を作成し、それを元に原寸場または定盤に三角トラスの実寸を描いて墨出しをする。
【００１２】
図５は、傾斜屋根の一例としての切妻屋根の平面図である。図６は、傾斜屋根の他の例としての寄棟屋根の平面図である。図７は、図５および図６のＡ−Ａ線に沿って見た傾斜屋根の断面図であり、スチール材の骨組み構造の上に下地材および屋根材を貼り、さらに太陽光発電モジュールを取付けた状態を示している。図８は、図７中の棟部分を拡大して示す図である。図９は、図７中のトラス部分を拡大して示す図である。図１０は、図７中の軒先部分を拡大して示す図である。図１１は、傾斜屋根の骨組み材の接合部分を詳細に示す図である。図１２は、骨組み材の接合部分を詳細に示す図である。
【００１３】
定盤の寸法の長さに合わせて、傾斜屋根の骨組みの使用材を切断し、軒先等は屋根に合わせて角度切する。屋根骨組みの使用材としては、一般の鉄骨に比べて軽量であり、かつ施工がし易く、レッカーで吊っても歪が生じない材料を用いる。そのような材料として最適なものは、図面中に記載したように、スチール材である。
【００１４】
寸法切した材を用いて、三角トラス、母屋、梁形トラス等を組立てる。その際に、直角度や勾配角度が正確になるように位置決めして、ビスや溶接等で固定する。母屋については、下地材を止められるところにビスで止める。三角トラスは、強度に応じたピッチで梁形トラスに取付ける。梁形トラスは、立ち状態をよく確認してから固定する。トラスの長さは、運搬トラックの荷台に合わせたブロックの長さにする。
【００１５】
組上げた骨組み材の上に、使用する金属屋根の施工方法に従い、下地材、金属屋根材を貼っていく。
【００１６】
工場で製作した傾斜屋根をトラックで運搬し、クレーンで吊上げて既存建物の陸屋根上に取付ける。図１〜図４を参照しながら、傾斜屋根を吊上げる方法を説明する。
【００１７】
図２および図３に示すように、傾斜屋根の下部に吊上げワイヤーを連結するためのパイプ、例えば角パイプを固定する。そして、吊芯を考えて、あるいは平行に吊上げられるようにワイヤーをパイプの複数個所に取付ける。その際に、図２および図３に示すように、傾斜屋根の上方に棒状部材を配置し、傾斜屋根の下のパイプと上方の棒状部材とをワイヤーで連結するようにしてもよい。その後、パイプに連結されたワイヤーを介して傾斜屋根をクレーンで吊上げる。クレーンのフックを上方の棒状部材に引っ掛けるようにしてもよい。
【００１８】
吊上げた傾斜屋根を既存建物の陸屋根上に降ろし、前述したアンカーに固定する。そして、棟下の梁形トラス部でボルト、ナット、溶接等で固定し、錆止めを塗る。その後、棟板、ケラバ等の役物を取付けて、傾斜屋根の設置が完了する。
【産業上の利用可能性】
【００１９】
この発明は、既存建物の陸屋根を有効に利用する方法として、有利に利用され得る。
【図面の簡単な説明】
【００２０】
【図１】陸屋根を持つ既存建物を示す斜視図である。
【図２】既存建物の陸屋根上に傾斜屋根の半分を降ろしている状態を示す斜視図である。
【図３】既存建物の陸屋根上に傾斜屋根の残りの半分を降ろしている状態を示す斜視図である。
【図４】既存建物の陸屋根上への傾斜屋根の取り付けが完了した状態を示す斜視図である。
【図５】切妻屋根の平面図である。
【図６】寄棟屋根の平面図である。
【図７】図５および図６の線Ａ−Ａに沿って見た断面図である。
【図８】図７中の棟部分の拡大図である。
【図９】図７中のトラス部分の拡大図である。
【図１０】図７中の軒先部分の拡大図である。
【図１１】骨組み材の接合部分の拡大図である。
【図１２】骨組み材の接合部分の拡大図である。